(57)【特許請求の範囲】
【請求項１】
単位パケットデータ（１）をテレコミュニケーションネットワークにおいて伝送する際にそれぞれのヘッド情報（５，１０，２０，２５）の形式に依存して種々異なっているヘッド情報（５，１０，２０，２５）をシグナリングするための方法であって、
テレコミュニケーションネットワークの受信機（７０）において受信されるヘッド情報（５，１０，２０，２５）がそのシグナリング（３０，３５，４０）に依存して評価のための少なくとも２群のアルゴリズム（５０，５５）に供給され、かつ
第１の形式のヘッド情報（５，１０，２０，２５）に対して第１群のアルゴリズム（５０）に第１のアルゴリズムが設けられておりかつ第２の形式のヘッド情報（５，１０，２０，２５）に対して第２群のアルゴリズム（５５）に第２のアルゴリズムが設けられており、ここで該第１のアルゴリズムは該第２のアルゴリズムに相応している
そういう形式の方法において、
第１の形式のヘッド情報（５，１０，２０，２５）に対するシグナリング（３０，３５，４０）および第２の形式のヘッド情報（５，１０，２０，２５）に対するシグナリング（３０，３５，４０）を１つの共通のシグナリングに統合する
ことを特徴とする方法。
【請求項２】
シグナリング（３０，３５，４０）を単位パケットデータ（１）に前置して伝送する
請求項１記載の方法。
【請求項３】
異なっているシグナリング（３０，３５，４０）を有する異なっているプロトコルの圧縮されたヘッド情報（５，１０，２０，２５）をそのシグナリング（３０，３５，４０）に依存して圧縮解除のために少なくとも２つの群のアルゴリズム（５０，５５）の１つのアルゴリズムに供給する
請求項１または２記載の方法。
【請求項４】
プロトコルＩＰ（Internet Protocol）／ＴＣＰ（Transport Control Protocol）の圧縮されたヘッド情報（５，１０，２０，２５）をそのシグナリング（３０，３５，４０）に依存して圧縮解除のために第１群のアルゴリズム（５０）の１つのアルゴリズムに供給する
請求項３記載の方法。
【請求項５】
プロトコルＩＰ／ＵＤＰ（User Dataframe Protocol）／ＲＴＰ（Real Time Protocol）の圧縮されたヘッド情報（５，１０，２０，２５）をそのシグナリング（３０，３５，４０）に依存して圧縮解除のために第２群のアルゴリズム（５５）の１つのアルゴリズムに供給する
請求項３記載の方法。
【請求項６】
共通のシグナリングを有する異なった形式のヘッド情報（５，１０，２０，２５）をそのシグナリング（３０，３５，４０）に依存して第１群のアルゴリズム（５０）および第２群のアルゴリズム（５５）の１つの共通のアルゴリズムに供給する
請求項１から５までのいずれか１項記載の方法。
【請求項７】
共通のシグナリングを有する異なった形式の圧縮されていないヘッド情報（５，１０，２０，２５）をそのシグナリング（３０，３５，４０）に依存して第１群のアルゴリズム（５０）および第２群のアルゴリズム（５５）の１つの共通のアルゴリズムに供給する
請求項６記載の方法。
【請求項８】
共通のシグナリングを有する異なった形式の圧縮されているヘッド情報（５，１０，２０，２５）をそのシグナリング（３０，３５，４０）に依存して圧縮解除のために第１群のアルゴリズム（５０）および第２群のアルゴリズム（５５）の１つの共通のアルゴリズムに供給する
請求項６記載の方法。
【請求項９】
プロトコルＩＰ／ＵＤＰの圧縮されているヘッド情報（５，１０，２０，２５）をそのシグナリング（３０，３５，４０）に依存して圧縮解除のために第１群のアルゴリズム（５０）および第２群のアルゴリズム（５５）の１つの共通のアルゴリズムに供給する
請求項８記載の方法。
【請求項１０】
少なくとも１０個の異なった形式のヘッド情報（５，１０，２０，２５）を３ビットのシグナリング（３０，３５，４０）によってシグナリングする
請求項１から９までのいずれか１項記載の方法。
【発明の詳細な説明】
【０００１】
従来の技術
本発明は、請求項１の上位概念に記載の種々異なったヘッド情報のシグナリング方法から出発している。
【０００２】
パケット交換テレコミュニケーションネットワークにおいて有効データは単位パケットデータ（パケットデータユニット）において送信機から受信機に伝送される。その際単位パケットデータは最終的に相応のテレコミュニケーションネットワークを介して受信機に送信される前に、送信機においてある数のプロトコル層を通過する。その際個々のプロトコル層は本来の有効データにいわゆるプロトコルコントロールデータの形のヘッド情報を付け加える。これらは「ヘッダ」とも呼ばれる。それからプロトコルコントロールデータを備えたヘッド情報および有効データはそれぞれ、単位パケットデータを形成する。その際プロトコルコントロールデータは例えば、有効データを有するそれぞれの単位パケットデータがテレコミュニケーションネットワークを通って受信機の方向にガイドするために用いられる。これによりプロトコルコントロールデータに対して全体で、比較的大きなデータ量がまとめられる可能性があり、これは有効データに対して付加的に伝送されなければならない。例えば移動無線システムにおいてまたはモデムを介するテレコミュニケーションコネクションの場合に生じるように、帯域幅が制限されているシステムにおいてはまさに、このことは有効データの伝送のために使用できるようになっているデータ伝送速度が特に不都合な影響を受ける。
【０００３】
プロトコルコントロールデータのデータ量を低減するために、圧縮アルゴリズムが使用される。この種の圧縮アルゴリズムは例えば、ドキュメントＰＦＣ１１４４，Compressing TCP/TP Headers for Low-Speed Srial Links（Ｄ１）, ＲＦＣ２５０７，ＩＰ Header Compressin, M. Degermark, B. Nordgren, S. Pink（Ｄ２） およびＲＦＣ２５０８，Compressing IP/UDP/RTP Headers for Low-Speed Serial Links（Ｄ３）から公知である。Ｄ２から、ＴＣＰヘッダ（Transport Control Protocol）およびＵＤＰヘッダ（User Dataframe Protocol）と組み合わされたＩＰヘッダ（Internet Protocol）の圧縮および圧縮解除アルゴリズムの第１のグループが公知である。Ｄ３から、圧縮および圧縮解除アルゴリズムの第２のグループが公知である。これは、Ｄ２に記載されている圧縮および圧縮解除アルゴリズムに基づいているが、ＩＰ／ＵＤＰ／ＰＴＰヘッダ（ＲＴＰ＝Real Time Protocol）に対してだけ当てはまる。そこで単位パケットデータが圧縮器を含んでいる送信機から圧縮解除器を含んでいる受信機に送信されると、圧縮解除器に、それがその時受信しているヘッド情報の種類ないし形式が通報されなければならない。このことは通例、仕様“Subnetwork Dependent Convergence Protocol”に記載されているような付加的な情報の形の相応のシングナリングによって保証される。これは相応の単位パケットデータと一緒に受信機に伝送される。その際異なっているシグナリングを有している２、３の形式のヘッド情報に対して、第１の群のアルゴリズムにおいては第１の圧縮解除アルゴリズムが設定されており、同時に第２の群のアルゴリズムにおいては第２の圧縮解除アルゴリズムが設定されており、その際第１の圧縮解除アルゴリズムおよび第２の圧縮解除アルゴリズムは相互に対応している。
【０００４】
発明の利点
これに対して、請求項１の特徴部分に記載の構成を有する本発明の方法は、第１の群のアルゴリズムにおける第１の形式のヘッド情報に対して第１のアルゴリズムが設定されかつ第２の群のアルゴリズムにおける第２の形式のヘッド情報に対して第２のアルゴリズムが設定され、その際第１のアルゴリズムが第２のアルゴリズムに対応しているという場合に対して、第１の形式のヘッド情報に対するシグナリングおよび第２の形式のヘッド情報に対するシグナリングは１つの共通のシグナリングにまとめられるという利点を有している。このようにして、相応の単位パケットデータと一緒にシグナリングの伝送に対して伝送すべきであるデータ量を低減することができるので、有効データの伝送に対するデータ伝送速度はシグナリングの伝送によってできるだけ僅かしか不都合な影響を受けない。
【０００５】
従属請求項に記載の構成によって、請求項１に記載の方法の有利な実施形態および改良形態が可能である。
【０００６】
その際特別有利には、共通のシグナリングを有する異なった形式のヘッド情報をそのシグナリングに依存して圧縮解除のために第１群のアルゴリズムおよび第２群のアルゴリズムの１つの共通のアルゴリズムに供給する。このようにして、この種のヘッド情報に対して付加的なシグナリングを必要とせずとも、ヘッド情報を２つの群のアルゴリズムの一方に予め割り当てて、引き続いて別のシグナリングに基づいて予め選択された群において実行すべきアルゴリズムを選択すればよく、その結果シグナリングに対するデータ量の上に述べた節約が実現される。
【０００７】
少なくとも１０個の異なった形式のヘッド情報が３ビットのシグナリングでシグナリングされることも有利である。このことは、１０個の異なった形式の６個の共通のシグナリングによって可能でありかつそれぞれ異なっている形式のヘッド情報を別個にシグナリングすることに比べて１ビットの節約が生じる。
【０００８】
図面
本発明の実施例は図面に示されておりかつ以下の説明において詳細に説明する。その際図１は、第１の形式のヘッド情報を備えた単位パケットデータを示し、図２は、第２の形式のヘッド情報を備えた単位パケットデータを示し、図３は、第３の形式のヘッド情報を備えた単位パケットデータを示し、図４は、先にシグナリングが置かれている単位パケットデータを示しかつ図５は、受信機のブロック線図を示している。
【０００９】
実施例の説明
パケット交換テレコミュニケーションネットワークにおいて図１の有効データ１５は単位パケットデータ１（パケットデータユニット）の形で送信機から図５の受信機７０に伝送される。その際単位パケットデータ１は最終的に送信される前に、送信機において多数のプロトコル層を通過する。その際個々のプロトコル層は有効データ１５にヘッド情報の形のいわゆるプロトコルコントロールデータを付け加える。このプロトコルコントロールデータは「ヘッダ」とも称される。ヘッド情報は図１に示されているように、参照番号５，１０が付されておりかつ有効データ１５と一緒に図１の単位パケットデータ１を形成している。その際ヘッド情報５，１０は例えば、有効データ１５を有する単位パケットデータ１をテレコミュニケーションネットワークを介して受信機７０に導くために使用される。ヘッド情報５，１０のデータ量を低減するために、送信機において圧縮アルゴリズムが使用される。その場合ヘッド情報５，１０はこれら圧縮アルゴリズムの１つに従って圧縮されかつこのようにしてテレコミュニケーションネットワークを介して受信機７０に単位パケットデータを用いて伝送される。それから受信機７０においてヘッド情報５，１０は圧縮解除アルゴリズムによって圧縮解除される。圧縮解除アルゴリズムは、使用の圧縮アルゴリズムによって実施された、ヘッド情報５，１０の圧縮を元に戻す。
【００１０】
例として以下においてＩＰプロトコル層（Internet Protocol）が導入される。これは比較的高いプロトコル層のデータにＩＰヘッダの形のヘッド情報をくっつける。データがより高いところに位置しているＴＣＰプロトコル層（Transport Control Protocol）からＩＰプロトコル層に受信されると、これらデータは有効データ１５および前置されているＴＣＰヘッダ１０を有していることができる。その場合ＴＣＰヘッダ１０はＩＰプロトコル層にもう一度ＩＰヘッダ５を付加するので、ＩＰ／ＴＣＰヘッダ５，１０が形成されかつ図１に示されているように有効データ１５に前置される。データがＵＤＰプロトコル層からＩＰプロトコル層に受信されるとき、相応に、ＩＰ／ＵＤＰヘッダ５，２０（ＵＤＰ＝User Dataframe Protocol）が単位パケットデータ１の有効データ１５に前置される。
【００１１】
ヘッド情報５，１０，２０のデータ量を低減するために、送信機において圧縮アルゴリズムが使用される。インターネットプロトコル（ＩＰ）に基づいているヘッド情報５，１０，２０の圧縮はＤ２およびＤ３に記載されておりかつ以下に本発明の方法を説明するために簡単に説明する。
【００１２】
Ｄ２には、ＴＣＰヘッダ１０またはＵＤＰヘッダ２０との組み合わせにおいてＩＰヘッダ５を圧縮するための方法が記載されている。この方法は、完全なこのように組み合わされたＩＰ／ＵＤＰヘッダ５，１０または完全なＩＰ／ＩＤＰヘッダ５，２０の一回の送信に基づいている。これらは送信機に圧縮器および受信機７０の圧縮解除器４５において所定の識別符号ＣＩＤ（Context Identifier）の元に記憶される。その際ヘッダは勿論それぞれ、相応の単位パケットデータ１と一緒に送信される。それから後続の単位パケットデータ１においてヘッド情報５，１０，２０によって、変化しないまたは一定に変化するようなヘッド情報部分はもはや伝送されない。予期できずに変化するヘッド情報５，１０，２０の部分は相応の所属の単位パケットデータ１と一緒に完全に受信機７０に伝送されるか、または最後に送信された単位パケットデータと比べたヘッド情報５，１０，２０の変化が受信機７０に伝送される。それから、図５の圧縮解除器４５においてそれぞれに配属されている識別符号ＣＩＤの元に記憶されているヘッド情報５，１０，２０が次に伝送された単位パケットデータ１ととに受信されたヘッド情報５，１０，２０に基づいて更新されるもしくは最新の状態にされる。Ｄ２には種々異なった形式のヘッド情報５，１０，２０が定義されている：
１．  ＩＰに基づいている、圧縮されていないヘッド情報に対する Regular Header で、例えば図１に示されているＩＰ／ＴＣＰヘッド情報５，１０または図２に示されているＩＰ／ＵＤＰヘッド情報５，２０であり、これらは別の圧縮関連の情報を含んでいない（形式１）。
【００１３】
２．  付加的な圧縮関連の情報を有している圧縮されないＩＰ／ＴＣＰヘッド情報５，１０または圧縮されないＩＰ／ＵＤＰヘッド情報５，２０に対する Full Header（形式２）。
【００１４】
３．  図１の圧縮されたＩＰ／ＴＣＰヘッド情報５，１０に対する Compressed TCP（形式３）。
【００１５】
４．  変化しないまたは一定に変化する情報だけが取り除かれるが、すべての別の情報は完全にかつ圧縮されて送信されるヘッド情報５，１０，２０に対するCompressed TCP NON DELTA（形式４）。
【００１６】
５．  ＩＰ／ＴＣＰヘッド情報５，１０ではなく、例えば図２のＩＰ／ＵＤＰヘッド情報５，２０である圧縮されたヘッド情報５，２０に対する Compressed NON TCP（形式５）。
【００１７】
６．  受信機７０から送信機にないし圧縮解除器４５から圧縮器に返答としてかつ圧縮解除器４５に記憶されているヘッド情報の同期のために返送されかつ本発明の方法に対しては何の役目も演じないヘッド情報に対する Context state（形式６）。
【００１８】
形式１のヘッド情報は圧縮されていない。形式２のヘッド情報は、圧縮解除器４５において所属の識別符号ＣＩＤの元に記憶されるようになっている完全なヘッド情報を表している。形式３，４，５のヘッド情報は圧縮されたヘッド情報でありかつ形式６のヘッド情報は圧縮解除器４５に記憶されたヘッド情報の同期目的で使用されかつ受信機の圧縮解除器４５から送信機の圧縮器に送信される。
【００１９】
Ｄ３に記載されている方法は、Ｄ２に記載されている方法に基づいているが、有効データ１５にＲＴＰプロトコル層（Real Time Protocol）において図３のＲＴＰヘッド情報が前置された単位パケットデータ１にしか当てはまらない。下方に位置するＵＤＰプロトコル層においてこのようにして形成された単位パケットデータに更にＵＤＰヘッド情報２０が前置された。更に下方に位置するＩＰプロトコル層においてこのようにしてＵＤＰプロトコル層において形成された単位パケットデータに更にＵＤＰヘッド情報５が更に前置されたので、図３に示されている単位パケットデータ１が生じる。そこに示されているヘッド情報５，２０，２５は、ＩＰ／ＵＤＰ／ＲＴＰヘッド情報とも呼ぶことができる。その際ＩＰ／ＵＤＰ／ＲＴＰヘッド情報５，２０，２５の次のタイプが区別される：
１．  ＩＰに基づいている、圧縮されていないヘッド情報に対する Regular Header で、例えば図１に示されているＩＰ／ＴＣＰヘッド情報５，１０または図２に示されているＩＰ／ＵＤＰヘッド情報５，２０であり、これらは別の圧縮関連の情報を含んでいない（形式７）。
【００２０】
２．  付加的な圧縮関連の情報を有している圧縮されないＩＰ／ＴＣＰヘッド情報５，１０または圧縮されないＩＰ／ＵＤＰヘッド情報５，２０に対する Full Header（形式８）。
【００２１】
３．  圧縮されたＩＰ／ＵＤＰ／ＴＣＰヘッド情報５，１０，２０に対する Compressed RTP（形式９）。
【００２２】
４．  ＩＰ／ＵＤＰヘッダ５，２０だけが圧縮され、ＲＴＰヘッダ２５は圧縮されなかったヘッド情報に対する Compressed ＵＤＰ（形式１０）。
【００２３】
５．  ＩＰ／ＵＤＰ／ＲＴＰヘッド情報５，２０，２５ではない圧縮されたヘッド情報に対する Compressed NON TCP（形式11）。
【００２４】
６．  受信機７０から送信機にないし圧縮解除器４５から圧縮器に返答としてかつ圧縮解除器４５に記憶されているヘッド情報の同期のために返送されかつ本発明の方法に対しては何の役目も演じないヘッド情報に対する Context state（形式１２）。
【００２５】
そこで単位パケットデータ１が圧縮器を含んでいる送信機から圧縮解除器４５を含んでいる受信機７に送信されると、圧縮解除器４５に、どんな種類のヘッド情報ないしどんな形式のヘッド情報を圧縮解除器がちょうど受信しているのかが通報されなければならない。このために通例は、図４に示されているように、送信すべき単位パケットデータ１に付加されるないし前置されるシグナリング３０，３５，４０が使用される。
【００２６】
そこで受信機７に、ＩＰ／ＴＣＰヘッド情報５，１０またはＩＰ／ＵＤＰヘッド情報５，２０を有する単位パケットデータ１並びにＩＰ／ＵＤＰ／ＲＴＰヘッド情報５，２０，２５を有する単位パケットデータ１も送信されることが考えられる。圧縮解除器４５において受信可能なすべての形式のヘッド情報の評価または圧縮解除を可能にするために、これらの形式はシグナリング３０，３５，４０によって区別されなければならない。その際図５に示されているように、圧縮解除器４５において形式１ないし５のヘッド情報の評価または圧縮解除のための第１群のアルゴリズム５０および形式７ないし１１のヘッド情報の評価または圧縮解除のための第２群のアルゴリズム５５が使用できるようになっている。形式６または形式１２にに従ったヘッド情報に対して、圧縮解除器４５にアルゴリズムを設ける必要はない。というのは、これらヘッド情報は受信機７０の圧縮解除器４５から送信機の圧縮器に送信されるからである。圧縮解除器４５において評価可能または圧縮解除可能である、１０個の形式のヘッド情報を一義的にシグナリングできるようにするために、これまで４ビットが必要であり、その際それぞれのヘッド情報の評価または圧縮解除のために必要なアルゴリズム群５０，５５を選択するための１ビットが必要だった。その他の３ビットは２つの群５０，５５のそれぞれにおいて５つの異なったアルゴリズムを区別するために必要であった。それは、相応の群のアルゴリズムにおいて評価可能または圧縮解除可能な形式のヘッド情報を評価または圧縮解除のための相応に適しているアルゴリズムに供給するためであった。従ってこれまでそれぞれの単位パケットデータ１によってシグナリングのために４ビットが伝送されなければならなかった。
【００２７】
さて本発明によれば、形式１，２および５のヘッド情報の評価または圧縮解除のために、第１群のアルゴリズム５０には、第２群５５における形式７，８および１１のヘッド情報の評価または圧縮解除のためのそれぞれのアルゴリズムに相応しているアルゴリズムが設けられているという事実が利用される。このようにして圧縮解除器４５に、異なった形式のヘッド情報のために共通に利用することができかつ従って２つの群のアルゴリズム５０，５５の共通集合を形成するアルゴリズムを有する第３の群６０が生じる。すなわち共通のアルゴリズムを有するこの第３の群６０は、形式１および形式７のヘッド情報を評価するための第１のアルゴリズムと、形式２および形式８のヘッド情報を評価するための第２のアルゴリズムと、形式５および１１のヘッド情報を圧縮解除するための第３のアルゴリズムとを含んでいる。その際その他の形式のヘッド情報は既に説明した方法において第１の群のアルゴリズム５０によってかまたは第２の群のアルゴリズム５５によって評価または圧縮解除されなければならない。その際形式３および４のヘッド情報は、それぞれ第１の群のアルゴリズム５０においてしか存在していないアルゴリズムによって圧縮解除され、これに対して形式９および１０のヘッド情報は、それぞれ第２の群のアルゴリズム５５においてしか存在していないアルゴリズムによって圧縮解除される。
【００２８】
このようにして、ヘッド情報の形式１および７に対して、ヘッド情報の形式２および８に対しておよびヘッド情報の形式５および１１に対してそれぞれ１つの共通のシグナリングを使用することができるので、全体で３つの共通のシグナリングおよび形式３，４，９，１０に対して４つの別のシグナリング、すなわち全体で７つの異なったシグナリングが必要であり、その結果シグナリングのために３ビットで十分である。その際第１のシグナリングビットは図４および図５に示されているように参照番号３０によって、第２のシグナリングビットは参照番号３５によってかつ第３のシグナリングビットは参照番号４０によって示されている。
【００２９】
このことは、移動無線ネットワークとして実現されておりかつ例えばＧＳＭ（Global Systems for Mobile Communication）またはＵＭＴＳ（Universal Mobile Telecommunications System）に従って実現されておりかつ単位パケットデータの伝送のために制限された帯域幅ないしデータ伝送速度しか使用することができないテレコミュニケーションネットワークに対しては特別有利である。
【００３０】
シグナリング３０，３５，４０の評価は受信機において相応の評価ユニット６５において行われる。これは検出されたシグナリングに依存して受信された単位パケットデータ１を評価または圧縮解除のために第１群のアルゴリズム５０、第２の群のアルゴリズム５５かまたは第３の群のアルゴリズム６０かに転送する。
【００３１】
以下に表に基づいて、シグナリングビット３０，３５，４０を個々の形式のヘッド情報に割り当てるための例が示されている：
【００３２】
【表１】
0004625227.tif 000002
【図面の簡単な説明】
【図１】  第１の形式のヘッド情報を備えた単位パケットデータの略図である。
【図２】  第２の形式のヘッド情報を備えた単位パケットデータの略図である。
【図３】  第３の形式のヘッド情報を備えた単位パケットデータの略図である。
【図４】  先にシグナリングが置かれている単位パケットデータの略図である。
【図５】  受信機のブロック線図である。
【図１】
0004625227.tif 000003
【図２】
0004625227.tif 000004
【図３】
0004625227.tif 000005
【図４】
0004625227.tif 000006
【図５】
0004625227.tif 000007